(57)【要約】【課題】  カメラの撮影レンズを収納待機状態にするときに、光路分割手段であるミラ−の回転中心が撮影光軸とミラーの交点から外れていると、ミラーの停止時の精度を保証するのが難しく、調整や部品の補正を必要となるため、生産上の大きな障害となっていた。【解決手段】  撮影光路を分割する光路分割手段を備え、撮影レンズを収納状態とするとき、該光路分割手段を撮影光軸と光路分割手段の反射面との略交点を回転中心として回転するよう構成した。【選択図】  図１
2006201569.tif 000002
【特許請求の範囲】
【請求項１】
撮影光路を変更する光路変更手段を備え、撮影レンズを収納状態とするとき、該光路変更手段を撮影光軸と光路変更手段の反射面との略交点を回転中心として回転するよう構成したことを特徴とする沈胴式カメラ。
【請求項２】
影光路を分割するハーフミラーを備え、該ハーフミラーによる反射光を撮像手段へ導き、透過光を、対となる像位置の相対的ずれ量に基づいて、測距視野内における被写体像のデフォーカス量を演算する位相差測距手段へと導き、撮影レンズを収納状態とするとき、前記ハーフミラーを撮影光軸と前記ハーフミラーの反射面との略交点を回転中心として回転するように構成したことを特徴とする沈胴式カメラ。
【請求項３】
前記撮影レンズ収納状態とするとき、前記撮影光軸と前記光路変更手段の反射面との略交点を回転中心として、該ハーフミラーの下側が被写体側を経由してから上死点へと至る方向へと回転するよう構成されたことを特徴とする請求項１および２記載の沈胴式カメラ。
【請求項４】
前記撮影レンズ収納状態とするとき、前記撮影光軸と前記光路変更手段の反射面との略交点を回転中心として、該ハーフミラーの下側が被写体側を経由せずに下死点方向へと回転するよう構成されたことを特徴とする請求項１および２記載の沈胴式カメラ。
【発明の詳細な説明】
【技術分野】
【０００１】
本発明は、非使用時に撮影レンズを沈胴状態に収納するために、撮影光路内の光路変更手段を回転させるカメラの、光路分割または光路変更手段の回転軸の構造および回転時のレイアウトに関するものである。
【背景技術】
【０００２】
従来、この種のカメラは、実案平２−５８７３８号に記載されているように、カメラの非使用状態で、ミラ−を駆動して撮影レンズを後退させる技術が開示されている。
【０００３】
また、特開平０９−２１１５４６号に記載されているように、アイレベルファインダとウエストレベルファインダとの切り替え可能なファインダ装置において、ファインダ光軸とミラーの交点を回転中心に回転させ、回転に連動してミラーを退避させる構成が開示されている。
【０００４】
また、特開平０９−２４７５５３号に記載されているように、ラインセンサ上の走査を行うために、光軸とミラーの反射点を回転中心にして、ミラーを回転させる技術が開示されている。
【０００５】
更に、従来の一眼レフの構成では、ミラー回転または収納時の空間を確保するため、前記光路分割手段であるミラーの回転中心軸は、ミラーの端部に置くことが多かった。
【特許文献１】実案平２−５８７３８号公報
【特許文献２】特開平０９−２１１５４６号公報
【特許文献３】特開平０９−２４７５５３号公報
【発明の開示】
【発明が解決しようとする課題】
【０００６】
しかしながら、上記従来例実案平２−５８７３８号では、ミラーの回転中心に関する記載が無く、本発明のようなミラ−停止精度向上への効果も期待できない。また、特開平０９−２１１５４６号の場合には、ファインダレンズ群の移動に伴いミラーを退避しているため、本発明の目的とする光軸の合致精度を向上させる効果が無い。また、特開平０９−２４７５５３号の場合には、光軸とミラーの交点を回転中心としてミラーを回転させる点では同じだが、本発明の目的である撮影光軸と撮像素子との合致精度を保証すること、および沈胴動作時の作動状態とが異なり、かつ、その目的および効果が異なる。
【０００７】
更に、従来の一眼レフカメラの構成では、ミラーの回転中心が撮影光軸とミラーの交点から外れているため、ミラー停止時の精度を保証するのが難しく、調整や部品の補正を必要となるため、生産上の大きな障害となっていた。
【０００８】
本発明は上記問題点に鑑み、カメラの非使用時は撮影レンズを沈胴状態に収納するため、撮影光路内の光路分割手段または光路変更手段を回転させるカメラの、撮影光軸と撮像素子との合致精度を保証することを目的とする。
【課題を解決するための手段】
【０００９】
上記問題点を解決するため第１の発明では、撮影光路を変更する光路変更手段を備え、撮影レンズを収納状態とするとき、光路変更手段を撮影光軸と光路分割手段の反射面との略交点を回転中心として回転するよう構成したことを特徴とする。
【００１０】
第２の発明では、撮影光路を分割するハーフミラーを備え、ハーフミラーによる反射光を撮像手段へ導き、透過光を、対となる像位置の相対的ずれ量に基づいて、測距視野内における被写体像のデフォーカス量を演算する位相差測距手段へと導き、撮影レンズを収納状態とするとき、ハーフミラーを撮影光軸とハーフミラーの反射面との略交点を回転中心として回転するように構成したことを特徴とする。
【００１１】
第３の発明では、前記撮影レンズ収納状態とするとき、前記撮影光軸と前記光路変更手段の反射面との略交点を回転中心として、該ハーフミラーの下側が被写体側を経由してから上死点へと至る方向へと回転するよう構成されたことを特徴とする。
【００１２】
第４の発明では、前記撮影レンズ収納状態とするとき、前記撮影光軸と前記光路変更手段の反射面との略交点を回転中心として、該ハーフミラーの下側が被写体側を経由せずに下死点方向へと回転するよう構成されたことを特徴とする。
【発明の効果】
【００１３】
本発明では以下のような効果がある。
【００１４】
請求項１記載の発明によれば、撮影光路を変更する光路変更手段を備え、撮影レンズを収納状態とするとき、該光路変更手段を撮影光軸と光路分割手段の反射面との略交点を回転中心として回転するように構成しているため、撮影レンズ光軸と撮像素子との合致精度を向上させ、光路変更手段停止のための部材に、別段の補正や調整機構を盛り込まなくて済み、量産時の組み立て作業が簡単になる。
【００１５】
請求項２記載の発明によれば、撮影光路を分割するハーフミラーを備え、該ハーフミラーによる反射光を撮像手段へ導き、透過光を、対となる像位置の相対的ずれ量に基づいて、測距視野内における被写体像のデフォーカス量を演算する位相差測距手段へと導き、撮影レンズを収納状態とするとき、ハーフミラーを撮影光軸とハーフミラーの反射面との略交点を回転中心として回転するように構成したことにより、コントラスト測距および位相差測距手段を備えたカメラにおいて、撮影レンズ光軸と撮像素子との合致精度を向上させ、光路分割手段停止のための部材に別段の補正や調整機構を盛り込まなくて済み、量産時の組み立て作業が簡単になる。また、撮影光軸と位相差測距光軸との合致調整時に、前記光路分割手段の停止位置がずれにくくなるため、測距手段の位置補正や電気調整が少なくて済むという効果もある。
【００１６】
請求項３および４記載の発明によれば、前記撮影レンズ収納状態とするとき、前記撮影光軸と前記光路変更手段の反射面との略交点を中心として各々の方向へ回転するよう構成されているため、ミラ−の回転軌跡により使用できずにいた空間にアクチュエータ等の部品や実装部品、または、機構部品を配置することができるようになる。従って、高密度レイアウトが可能となりカメラの小型化に寄与する。
【発明を実施するための最良の形態】
【００１７】
（実施例１）
図１は本発明の特徴を最もよく表す図であり、本発明の実施例を表す主要部品機構配置図であるカメラの縦断面図である。図２は本発明の測距光学系の模式図である。図３は本発明実施形態のカメラの構成を示すブロック図である。図４は本発明実施例に係る後述の絞りおよび２次結像レンズを表す斜視図である。図５は本発明の実施例に係る測距素子を表す斜視図である。図６は本発明の第１の実施例に係る、ミラー（光路変更手段、光路分割手段）とミラー保持部材であるところのミラーホルダおよびミラーホルダ軸の沈胴状態を表す図である。
【００１８】
図１から図６において、１は撮影レンズユニットである。２、３、６、７は撮影レンズであり、３は撮影光軸Ｌ１上を移動して撮影倍率を変更するズ−ム用レンズ、７は撮影光軸Ｌ１上を移動して焦点を調節する焦点調整レンズである。４は複数の羽根の移動により重なり量の変化により複数の絞り径を形成して撮影光量を調節する絞りであり、本実施例では絞り形状が略円形状になるアイリス絞りである。５は撮影光学系の透過光量を調節する光学素子であり、ＮＤフィルタや駆動電圧の変化により光の透過率を制御する透過型の液晶などを用いる。この透過光量を調節する光学素子５は、絞り４の絞り径を小さくしていくと回折現象によって、画像の劣化を招くので所定値以下の絞り径にならないようにするためのものである。
【００１９】
１９は測距動作を行うための像を検出する測距手段であるところの１対のラインセンサ（１９ａ、１９ｄまたは１９ｂ、１９ｃ）を複数持つ測距素子。８は撮影光路を分割する光路分割手段であるハーフミラーであり、位相差測距手段の測距素子１９には透過光を、撮像手段である撮像素子１１には反射光を使用する。２００はミラーホルダであり、前記ハーフミラー８を接着固定している。該ミラーホルダー２００には測距光速用の貫通孔２００Ｃを備えている。更に、ミラーホルダ２００には回転軸２００ａが一体に形成され、カメラの主要部品を固着させる主枠体となる付図示の本体部材に固着、または一体に形成され、回動しない不図示の固定筒に回転可能に保持されている。９は撮影光学系からの光束を遮断するためのシャッタ機構。１０はモアレを防止する光学ローパスフィルタ（ＬＰＦ）であり、赤外カットフィルタや色補正フィルタなどと張り合わせて用いられることが多い。１１は前記撮影光路からの光を電気信号に変換する撮像手段であるＣＣＤなどの撮像素子。１２は一次結像面Ｆ１に形成される像を測距素子１９に導く対物レンズであるフィールドレンズ。１６は前記測距素子１９の２次結像面Ｆ２上に像を結像させるための対になった複数組のレンズを持つ光学部材である２次結像レンズ。１５は測距素子１９への光束を分離するための絞り。Ｆ１は撮影光学系１が像を結ぶ１次結像面。Ｆ２は該１次結像面Ｆ１上の空中像を測距素子１９上に再結像させた２次結像面である。１４は測距に有害な赤外光を取り除くための赤外カットフィルタである。１３は測距光束の方向を変更するための測距ミラーである。本実施例では測距光学系をカメラの上方へと折り曲げて配置している。測距素子１９で、異なる瞳を通過した被写体光の２つの像ずれ量を検出する公知の位相差測距を行う。
【００２０】
２０１はミラー押圧部材であり、前記撮影レンズユニット１の一部に保持され、撮影レンズユニットの沈胴動作に応じて光軸方向を移動する。該移動により、ミラーホルダ２００の下方を押して行き、図６のようにハーフミラー８が垂直になる位置まで移動する。２０５は引っ張りバネであり、ミラーホルダ２００を図の右方向に付勢している。２１０はストッパであり、ミラーホルダ２００を、カメラの使用状態で引っ張りバネ２０５の引っ張り力に抗して静止させておく。
【００２１】
対物レンズであるフィールドレンズ１２、測距ミラー１３、絞り１５、赤外カットフィルタ１４、２次結像レンズ１６、測距素子１９で測距ユニット８３を構成している。８２は本発明を実施したカメラを表す。
【００２２】
８１は公知のフレキシブル配線基板であり、本実施例では、前記撮像素子１１および前記測距素子１９が搭載されており、後述の中央処理装置であるシステム制御回路５０と電気的に接続されている。
【００２３】
１７はＡ／Ｄ変換器であり、撮像素子１１のアナログ信号出力をディジタル信号に変換する。１８はタイミング発生回路であり、撮像素子１１、Ａ／Ｄ変換器１７、Ｄ／Ａ変換器２６にクロック信号や制御信号を供給するもので、メモリ制御回路２２及びシステム制御回路５０により制御される。
【００２４】
２０は画像処理回路であり、Ａ／Ｄ変換器１７からのデータ或いはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、測距制御手段４２に対して制御を行う測距処理、自動露出処理、ＥＦ（フラッシュプリ発光）処理を行っている。更に、画像処理回路２０においては、撮像した画像データを用いて所定の演算処理を行い、得られた演算結果に基づいてＴＴＬ方式のＡＷＢ（オートホワイトバランス）処理も行っている。
【００２５】
２２はメモリ制御回路であり、Ａ／Ｄ変換器１７、タイミング発生回路１８、画像処理回路２０、画像表示メモリ２４、Ｄ／Ａ変換器２６、メモリ３０、圧縮・伸長回路３２を制御する。Ａ／Ｄ変換器１７のデータは画像処理回路２０、メモリ制御回路２２を介して、或いは直接メモリ制御回路２２を介して、画像表示メモリ２４或いは画像記録メモリ３０に書き込まれる。２３はコントラスト演算部であり、通常画像処理回路２０に含まれるが、説明の便宜上分けて説明する。コントラスト演算部２３は撮像素子１１の輝度信号の変化（所謂コントラスト）を検出し、コントラストが最大になるように即ちピントが合っている位置に焦点調整レンズ７を駆動するようにシステム制御回路５０を介して、測距制御手段４２に駆動信号を送る。
【００２６】
２４は画像表示メモリである。２６はＤ／Ａ変換器である。２８はＴＦＴ  ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、動画表示を実現することが可能である。また画像表示部２８は、電池残量表示、ストロボ充電完了表示、装置のモード設定時の選択画面表示、時刻・日付表示などにも用いられる。画像表示部２８に用いられている表示素子はＴＦＴ方式などの液晶表示板である。
【００２７】
３０は画像記録メモリであり、撮影した静止画像や動画像を格納する。画像記録メモリ３０は、所定枚数の静止画像や所定時間の動画像を格納するのに十分な記憶量を備えている。これにより、複数枚の静止画像を連続して撮影する連射撮影や動画撮影など、高速かつ大量の画像書き込みを画像記録メモリ３０に対して行うことが可能となる。また、画像記録メモリ３０はシステム制御回路５０の作業領域としても使用することが可能である。
【００２８】
３２は圧縮・伸長回路であり、適応離散コサイン変換（ＡＤＣＴ）等により画像データを圧縮伸長する。圧縮・伸長回路３２では、画像記録メモリ３０に格納された画像を読み込んで圧縮処理或いは伸長処理を行い、処理を終えたデータを画像記録メモリ３０に書き込む。
【００２９】
４０はシャッタ機構９の駆動を制御する露光制御手段であり、４２は撮影レンズユニット（撮影レンズ２から６および焦点調整レンズ７）の焦点調整を行うために焦点調整レンズ７の駆動を制御する測距制御手段である。４６は撮影レンズユニットのズーミングおよび撮影レンズを収納状態に沈銅させるため、レンズの駆動制御するズーム制御手段であるところのモ−タである。該モータ４６には、ギヤ２０２が圧入され、レンズユニット１に形成されたラック２０３と噛み合っている。４３はフィルタ制御手段。４５は絞り制御手段である。画像処理回路２０により撮像された被写体の明るさを測定し（測光）その結果から絞り制御手段４５に信号が送られ、絞り４を駆動する。この時、小絞りによる回折を防止するために、明るい被写体に対しても所定の絞り径よりも小さく絞らないように制御している。４０、４２、４５、４６の各制御手段はステッピングモータやプランジャなどのアクチュエータを用いている。またフィルタ制御手段４３は、減光光学素子がＮＤフィルタの場合にはＮＤフィルタを撮影光路上に挿脱させるためのアクチュエータとして、ステッピングモータやプランジャを用いる。モータ４６を撮影レンズ沈胴状態へと回転させると、ギヤ２０２が回転し、ギヤ２０２と噛み合うレンズユニット１に形成されたラック２０３が光軸方向へと移動し、レンズユニット１を沈胴状態へと移動させる。この移動に応じて、撮影レンズユニット１の一部に保持されたミラー押圧部材２０１が光軸方向を図の右方向へ移動する。該移動により、ミラーホルダ２００の下方当接部２００ｄを押して行き、図６のようにハーフミラー８が垂直になる位置まで移動する。
【００３０】
４８はストロボであり、被写体に向けて閃光発光を行い被写体照明する。
５０はシステム制御回路であり、本発明のカメラ全体の動作を制御する中央演算ユニット（ＣＰＵ）である。５２はメモリであり、システム制御回路５０の動作用の定数、変数、プログラム等を記憶する。５６は電気的に消去・記録可能な不揮発性メモリであり、例えばＥＥＰＲＯＭ等が用いられ、撮影者が設定するカスタムファンクションの設定やメッセージ等を記憶する。
【００３１】
６０、６２、６４、６６は、システム制御回路５０の各種の動作指示を入力するための操作手段であり、スイッチやダイアル、タッチパネル等の単数或いは複数の組み合わせで構成される。具体的には６０は電源スイッチであり、カメラの電源のＯＮ・ＯＦＦを行う。６２はズームスイッチであり撮影レンズの焦点距離の変更を指示する。６４はレリーズスイッチであり、第一ストロークのスイッチＯＮでＡＦ（オートフォーカス）処理、ＡＥ（自動露出）処理、ＡＷＢ（オートホワイトバランス）処理等の動作開始を指示し、第二ストロークのスイッチＯＮで引き続きシャッタ機構９の開閉、撮像素子１１から読み出した信号をＡ／Ｄ変換器１７、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い記録媒体１００に画像データを書き込む記録処理という一連のレリーズ処理の動作開始を指示する。
【００３２】
７０は電源制御回路であり、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。７２、７４はコネクタである。７６は電源であり、アルカリ電池やリチウム電池等の一次電池やＮｉＣｄ電池やＮｉＭＨ電池、リチウムイオン電池等の二次電池、ＡＣアダプター等からなる。
【００３３】
８０はメモリカードやハードディスク等の記録媒体とのインタフェースである。８２はメモリカードやハードディスク等の記録媒体と接続を行うコネクタである。インタフェース及びコネクタとしては、ＰＣＭＣＩＡカードやＳＤカード等の規格に準拠したものを用いて構成して構わない。さらに、インタフェース１０４、そしてコネクタ１０６をＰＣＭＣＩＡカードやＳＤカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３４】
１００はメモリカードやハードディスク等の記録媒体であり、半導体メモリや磁気ディスク等から構成される記録部１０２、装置本体側とのインタフェース１０４、装置本体側コネクタ８２と接続を行うコネクタ１０６とを備えており、装置本体に着脱可能に設けられている。この記録媒体１００と画像記録メモリ３０は、互いに記録されている画像ファイルの移動やコピーが可能である。
【００３５】
上記構成において、撮影光学系１の光路は、光路分割手段であるところのハーフミラー８で撮像手段と測距手段側とに分割されている。撮影レンズユニット１を通過した光は、ハーフミラー８により反射光は撮像素子１１側へ、透過光は前記測距手段である測距素子１９側へと導かれる。また、撮影光学系１は、各々がレンズ枠に固着され、公知のズーミングカムにより焦点距離変更が行われるようになっている。
【００３６】
ハーフミラー８、シャッタ機構９、撮像手段である撮像素子１１、および測距手段１９は、カメラの主要部品を固着させる主枠体となる付図示の本体部材に固着、または一体に形成され、撮影光学系１をズ−ミングおよび焦点調節可能に保持する、回動しない不図示の固定筒に配置されている。本実施例では光路分割手段としてハーフミラー８を用いた例を開示したが、ハーフミラー８の代わりにプリズムを用いても本発明の実施態様に変更は無い。
【００３７】
また、光路分割手段であるところのハーフミラー８は撮影光学系１を収納待機状態にする動作に連動して、引っ張りバネ２０５の付勢力に抗して、ミラー押圧部材２０１に押され、ミラーホルダ２００の回転中心であるところの回転軸２００ａを中心にして回転する。
【００３８】
測距手段である測距素子１９上に結像した像は各々２対のセンサ１９ａと１９ｄ、１９ｂと１９ｃとがあり、該２像のずれ信号を受像することでデフォーカス量を計算し、中央処理装置であるＣＰＵ５０内で演算し、前記被写体像の焦点調整レンズ７の繰り出し量に変換し、駆動手段４２を駆動し焦点調整させる。
【００３９】
上記の構成とすることにより、撮影レンズ１を収納状態とするとき、光路分割手段であるハーフミラー８を撮影光軸Ｌ１とハーフミラー８の反射面との略交点を回転中心として回転するように構成しているため、撮影光速がハ−フミラ８の回転によるずれを最小限に抑えることができ、撮影レンズ光軸Ｌ１と撮像素子１１との合致精度を向上させ、光路分割手段停止のための部材に別段の補正や調整機構を盛り込まなくて済み、量産時の組み立て調整作業が簡単になる。
【００４０】
（実施例２）
図７および図８は本発明の第２の実施例に係る図であり、請求項３記載の発明に係る。図７は主要部品機構配置図であるカメラの縦断面図である。図８は、ハーフミラー８（光路分割手段）とミラー保持部材であるところのミラーホルダ２００およびミラーホルダ軸２００ａの沈胴状態を表す図である。同図において、前記図１から図６に記載したものと同じ番号を付記したものは、同じものを表す。２００ｂは前記回転中心である回転軸２００ａと一体に形成されたギヤであり、ミラーホルダ２００の回転と連動して回転する。２０４は前記レンズユニット１の収納待機状態へと移動する動作に連動して、光軸方向へ移動するラックギヤである。
【００４１】
上記構成において、光路分割手段であるところのハーフミラー８は撮影光学系１を収納待機状態にする動作に連動して、ラックギヤ２０４の光軸方向の移動に伴いギヤ２００ｂが、前記ミラーホルダ２００の回転中心であるところの回転軸２００ａを中心にして図７の矢印方向へと回転する。ハーフミラー８は反射点の下方長さ（図の下側）の方が上方長さ（図の上側）より短く構成されている。
【００４２】
上記の構成とすることにより、図７の矢印の方向、即ちハーフミラー８と撮影光軸Ｌ１との交点８ａがハーフミラー８の全高の中点より下方にあり、撮影レンズ収納状態とするときは、該交点を回転中心としてハーフミラーの下側が上死点を経由してから下死点へと至る方向へと回転するよう構成されているため、ミラーの回転軌跡により使用できずにいた空間にアクチュエータ等の部品や実装部品、または、機構部品を配置することができるようになる。従って、高密度レイアウトが可能となりカメラの小型化に寄与するという効果がある。
【図面の簡単な説明】
【００４３】
【図１】本発明の実施例を表す主要部品機構配置図であるカメラの縦断面図でカメラの撮影状態を表す。
【図２】本発明の測距光学系の模式図
【図３】本発明の第１の実施例に係るカメラの構成を示すブロック図。
【図４】本発明の実施例に係る絞りおよび２次結像レンズを表す斜視図。
【図５】本発明の実施例に係る測距素子を表す斜視図。
【図６】本発明の第１の実施例に係る、ミラー（光路分割手段）とミラー保持部材であるところのミラーホルダおよびミラーホルダ軸の沈胴状態を表す図。
【図７】本発明の第２の実施例表す主要部品機構配置図であるカメラの縦断面図
【図８】本発明の第２の実施例に係る、ミラー（光路分割手段）とミラー保持部材であるところのミラーホルダおよびミラーホルダ−軸の沈胴状態を表す図
【符号の説明】
【００４４】
１  撮影レンズユニット
３  ズーム用レンズ
４  絞り
７  焦点調整レンズ
８  ハーフミラー（光路分割手段）
８ａ  光軸反射点
９  シャッタ機構
１０  ＩＲカットフィルタ
１１  撮像素子（撮像手段）
１２  フィールドレンズ
１５  絞り
１６  ２次結像レンズ
１９  測距素子（位相差測距手段）
４０  露光制御手段
４２  測距制御手段
４３  フィルタ制御手段
４５  絞り制御手段
４６  ズーム制御手段（モータ）
５０  システム制御回路
８２  カメラ
８３  測距ユニット
２００  ミラーホルダ
２００ａ  ミラーホルダ軸
２００ｂ  ギヤ
２００Ｃ  開口部
２０２  ギヤ
２０３  ラックギヤ
２０４  ラックギヤ
２０５  引っ張りバネ
２１０  ストッパ
Ｆ１  １次結像面
Ｆ２  ２次結像面
Ｌ１  撮影光軸
【図１】
2006201569.tif 000003
【図２】
2006201569.tif 000004
【図３】
2006201569.tif 000005
【図４】
2006201569.tif 000006
【図５】
2006201569.tif 000007
【図６】
2006201569.tif 000008
【図７】
2006201569.tif 000009
【図８】
2006201569.tif 000010